Podtech/llm-jp-corpus-v4-ja_patent huggingface dataset:
(57)【特許請求の範囲】
【請求項１】
磁力で固定する折り畳み自転車の格納式引行補助輪であって、磁石の弱点である横方向からの抵抗を受けて不用意に脱落しないように、格納式引行補助輪を固定するための磁石で作ったワッシャーをガードカバーに納め磁石の接着面に対して垂直方向以外に動かない様にした折り畳み自転車の格納式引行補助輪。
【発明の詳細な説明】
【技術分野】
【０００１】本発明は、折り畳み自転車の格納式引行補助輪を磁石の弱点である横方向からの抵抗を防いで磁力で簡単に格納（引き出し）出来るように改良したものである。
【背景技術】
【０００２】従来は、磁力を利用して簡単に格納（引き出し）できる折り畳み自転車用の引行補助輪はなかった。
【発明の概要】
【発明が解決しようとする課題】
【０００３】磁石を利用すればパーツの着脱や折り畳み自転車の組み立てを簡単に行えるように出来る。しかし、磁石の磁力は接着面に対して垂直方向に強いが横からの力に弱く少しでも斜めにすると簡単に外れることは周知の事実である。また、自転車は生身の人間が操縦し易いようにシンプルな構造なのでパーツが剥き出しで走行中の振動や障害物との接触で外れ易く万が一脱落したら命に係わる重大な事故に結び付く可能性も高い。だから着脱式部品を磁力だけで自転車に固定するのは困難であった。本発明は、この課題を解消するためになされたものである。
【課題を解決するための手段】
【０００４】  そこで、本発明にあっては、上記課題を解決するため、補助輪を左右に分割し内側端部に強力磁石を取り付け、走行中は内側に使用するときは外側に車軸ごと伸縮式にし、振動や傾斜でも勝手に伸縮しないように、磁石で固定できるように作成した。
【発明の効果】
【０００５】折り畳み自転車用の一対の引行補助輪を車軸ごと左右２分割し補助輪の反対側の車軸端部へ磁石を取り付け各々強固な容器へ納めたので磁石の弱点である接着面に対して横方向からの抵抗を防いで走行中の振動や障害物との接触で不用意に脱落する心配が無くなった。
【図面の簡単な説明】
【０００６】
【図１】  本発明の水平断面図である。
【図２】  本考案の使用状態図である。
【発明を実施するための形態】
【０００７】  車軸８と補助輪７を固定し、リアフレーム２を挟んで車軸受９へ差し込み、反対側に突き出た端部に車軸ストッパー１１を取り付ける。車軸受９の内側端部に強力な磁石で作ったワッシャー１０を取り付ける。車軸ストッパー１１より少し大い穴１６をあけたキャッチャー１２を挟んで、もう一方の補助輪７を同じ様に取り付ける。車軸受９は、磁力に作用しない丈夫な筒状のガードカバー１５の中を円滑に移動出来る。また、補助輪７に超過荷重が掛かても車軸受９が坐窟しないようにワッシャー１０を十分に厚くしておく。
走行するときは、補助輪７を両手の平で挟むように押し込むと、キャッチャー１２にワッシャー１０が磁力で固定されるので補助輪７は格納状態を維持し、走行を妨げることはない。
【０００８】  駐輪や移動のときは、片方の補助輪７を手の平で軽く叩くと車軸受９よりも長めの車軸８が、車軸ストッパー１１と共にキャッチャー１２の穴１６をすり抜けて、もう一方の補助輪７を押し出す。その帰りの手で、先ほど叩いた補助輪７を握り、左右同時に引けば、ワッシャー１０がリアフレーム２に強力に接着するので、安定した駐輪や移動を可能にしたものである。
【符号の説明】
【０００９】  １．メインフレーム
２．リアフレーム
３．シートチューブ
４．シートポスト
５．サドル
６．ハンドル
７．補助輪
８．車軸
９．車軸受
１０．ワッシャー
１１．車軸ストッパー
１２．キャッチャー
１３．ヘッドチューブ
１４．フロントホイール
１５．車軸受ガードカバー
１６．穴
【図１】
0005877477.tif 000002
【図２】
0005877477.tif 000003
(57)【特許請求の範囲】
【請求項１】
光源からの光を所要の方向へ照射する灯器において、
前記光源を複数個有し、
各々の前記光源ごとの光をまとめる集光装置と、
各々の前記集光装置からの照射光の全てを１ヶ所に集中して灯器前方へ照射する中央照射装置を有し、
前記中央照射装置を前記灯器内に設けていることと、
複数個ある前記光源がＬＥＤからなることと、
複数個ある前記光源と前記集光装置が、前記中央照射装置から放射状に配置されていることと、
前記集光装置から得られる照射光が、前記中央照射装置に集中するように、前記光源と前記集光装置を配置していることと、
前記中央照射装置が、入射した照射光を中央の光度が高い円形状にするための円柱状ロッドレンズを配置していることと、
前記中央照射装置が、灯器から照射する光に所要の広がりを持たせるためのレンズを配置していることを特徴とする照明装置。
【発明の詳細な説明】
【技術分野】
【０００１】
本発明は、照明機器に係わり、特に光を特定の場所や方向に集中して照射する照明装置に関する。
【背景技術】
【０００２】
従来の照明装置は、図２に示すように、一般的に光源１は一個で、ここから発する光を反射鏡２で集光し、一方向に照射する構造がほとんどであった。ここからさらに高い光度を得ようとするには、より電力の大きな光源にするか、光源の数を増やすことが考えられるが、省電力という面で低電力の光源を複数個使用する方法が知られている。特に光源として急速に普及しているＬＥＤでは、複数個使用することで所要の明るさを得ている場合がほとんどである。
【０００３】
例えば特開２００５−３２７６９３号にあるように、照射方向に並列に複数個の光源（ＬＥＤ）を配置し、全体の形状が円形あるいは矩形にすることで、擬似的に円形あるいは矩形の投射配光パターンにしている。その例として図３に示す光源（ＬＥＤ）を円形に配置した照明装置を示す。
【先行技術文献】
【特許文献】
【０００４】
【特許文献１】特開２００５−３２７６９３号              投光器
【発明の概要】
【発明が解決しようとする課題】
【０００５】
従来複数個の光源を使用して照明装置とする場合、光源を並べて並列に照射する光となるため、この取付間隔分だけ照射光がずれることになり、重ねてひとつの照射光とすることが難しいという欠点があった。また光源をＬＥＤとする場合、発光素子が角形なので投射配光パターンも角形となり、円形にすることが難しいという欠点もあった。
【０００６】
本発明の目的は、光源を複数個使用する灯器において、光度分布が中央が高く周囲ほど低くなる円形の投射配光パターンを有する照明装置を提供することにある。
【課題を解決するための手段】
【０００７】
複数個の光源の向きを灯器中央に集中し、それを灯器前方に照射できる機能を有する構造とすることで達成する。それには、まず各光源の光を一方向に集められる機能を有する集光装置とするとともに、複数個の光源の照射方向を灯器中央にしてから前方に照射できる機能と、光源の形状にかかわらず投射配光パターンを円形にできる機能と、所要の広がり角度を持った照射光にできる機能とを有する中央照射装置とすることで達成する。
【発明の効果】
【０００８】
本発明は、低電力の光源を複数個使用して、その照射光を集中できる利点を持つ。また、光源の数を少なくとも２個以上から設置可能な最大数で、所要の光度をもとに決定できる利点も持つ。
【図面の簡単な説明】
【０００９】
【図１】本発明の照明装置の概略断面図
【図２】従来例の単光源の照明装置の断面図
【図３】従来例の光源（ＬＥＤ）を複数個使用した照明装置の外観図
【発明を実施するための形態】
【００１０】
本発明の照明装置は、複数個の光源と集光装置を一式として、中央照射装置を中心とし、その周囲に配置する構成にすることが望ましい。
集光装置は、光源の光を可能な限り集光して一方向に照射できるように、反射鏡とレンズを組み合わせた構造とすることが望ましい。
【００１１】
中央照射装置は、灯器中央に配置し、周囲の複数個ある光源と集光装置からの照射光を集め前方に方向を変えるための反射部品を最適な形状にして用いることが望ましく、それを投射配光パターンを円形にするために、円柱状ロッドレンズで成るインテグレータとすることが望ましい。このとき可能な限り全照射光を集中させるためのレンズ系をインテグレータ直前に設けることが望ましい。そして、所要の広がりを持った照射光とするために、適切な曲率を有する複数枚の反射鏡の組み合わせにすることが望ましい。
【実施例１】
【００１２】
以下に本発明の一実施例を図１に基づいて説明する。
灯器３の後部内面に均等間隔で取付けられた複数個の光源（ＬＥＤ）１ａと、その直後に光源（ＬＥＤ）１ａと対を成す集光装置６とが灯器３の中心に向かって放射状に配置してある。その中心には多角錐反射部品８があり、集光装置６からの照射光を中央照射装置７中央に反射させている。そして、多角錐反射部品８の直後に凹レンズ９と凸レンズ１０とで組に合わされたレンズ群が、更に灯器中心軸に対して集光させるために配置してある。
【００１３】
集光装置６には、放物面反射部品６ａが内面に放物面鏡を形成するとともに出射側は集光レンズとして作用する球面が形成されて、その中心部には凸レンズ６ｂと凸レンズ６cとで組み合わされたレンズ群を形成している構造である。これにより、光源（ＬＥＤ）１ａからの光は、中央部が凸レンズ６ｂと凸レンズ６cとで集光されるとともに、それ以外の凸レンズ６ｂの外側の光は、放物面反射部品６ａで反射してから集光レンズの機能を有する球面部から出射し集光される。
【００１４】
次に中央照射装置７には、円形断面を持ち内面で全反射するインテグレータ７ａ通って、双曲面反射鏡７ｂと放物面反射鏡７ｃとで反射する構造である。これにより、集光装置６で集光された照射光は、インテグレータ７ａに入射させることで円形に整えられ、双曲面反射鏡７ｂと放物面反射鏡７ｃとで、所要の広がりを有する照射光として、前面ガラス４を通って出射されるのである。
【産業上の利用可能性】
【００１５】
本発明によれば、複数個の低電力の光源を使用し、所要の光度を得られるとともに、単光源と同様の投射配光パターンにすることができるため、従来の高電力の単光源を使用した照明装置に替わり、省電力で高光度の照明装置としての利用が期待される。
【符号の説明】
【００１６】
１        光  源
１ａ      光源（ＬＥＤ）
２        反射鏡
３        灯  器
４        前面ガラス
５        レンズ
６        集光装置
６ａ      放物面反射部品
６ｂ      凸レンズ
６ｃ      凸レンズ
７        中央照射装置
７ａ      インテグレータ
７ｂ      双曲面反射鏡
７ｃ      放物面反射鏡
８        多角錐反射部品
９        凹レンズ
１０      凸レンズ
【図１】
0005911007.tif 000002
【図２】
0005911007.tif 000003
【図３】
0005911007.tif 000004
(57)【特許請求の範囲】
【請求項１】
一枝蒿の抽出物を含む洗浄用液であって、該一枝蒿の抽出物は、（１）一枝蒿に対し該一枝蒿の体積の１０倍の水を入れて２時間の一次煎を行い、（２）一枝蒿の体積の８倍の水を入れて２時間の二次煎を行い、（３）粕を捨てた液体を６０℃に冷却し、（４）冷却された液体を該液体と水の体積比１：２５で希釈し、（５）該希釈溶液をマクロ多孔性樹脂で３０分間吸着し、（６）該吸着された溶液を該マクロ多孔性樹脂の体積の１０倍の容量の７０％エタノールで溶出し、（７）溶出されたエタノール溶出液から６０℃以下でエタノールを回収して濃縮することにより、
（８）比重が１．２０〜１．４０になった
一枝蒿の抽出物であり、
かつ、該一枝蒿の抽出物の重量含有率が０．０５〜２．２５%であることを特徴とする洗浄用液
【請求項２】
前記一枝蒿の抽出物の重量含有率が０．１〜１．５%であることを特徴とする請求項１に記載の洗浄用液
【請求項３】
前記一枝蒿の抽出物の重量含有率が０．５%であることを特徴とする請求項１に記載の洗浄用液
【発明の詳細な説明】
【技術分野】
【０００１】
本発明は、洗浄液の製作分野に関し、特に、ある一枝蒿の抽出物の新たな用途方法に関する。
【背景技術】
【０００２】
新疆一枝蒿（Ａｒｔｅｍｉｓｉａ  ｒｕｐｅｓｔｒｉｓ  Ｌ．）は、新疆独特なウイグル族医学常用の生薬である。海抜１０００〜３０００メートルぐらいの山地で育ち、多年生草本、蓬属（Ａｒｔｅｍｉｓｉａ  Ｌ．）、キク科（Ｃｏｍｐｏｓｔｉａｅ）の一つの植物である。アントキサンチン類、ケト酸類、グリコシド類、アミノ酸類、多糖類、セスキテルペン類、揮発油類、ポリペプチドとアルカロイドなど活性成分を含み、一枝蒿のフラボノイドは抗がん、抗酸化、肝臓保護、抗菌、小腸の平滑筋活動などを促進することができる。従来技術において、一枝蒿の抽出物は広く生薬に応用されているものの、洗浄液に応用することは今まで知られておりません。
【発明の概要】
【発明が解決しようとする課題】
【０００３】
本発明は現在の技術不足を補うことを目的とし、一枝蒿の抽出物の新たな用途方法を提供する。
【課題を解決するための手段】
【０００４】
前記技術問題を解決するために、以下のような方案を採用する。
【０００５】
一枝蒿の抽出物の新たな用途方法であって、洗浄液に応用したことを特徴とする。
【０００６】
さらに、前記洗浄液は洗浄エキスであり、前記一枝蒿の抽出物は前記洗浄エキスにおける重量含有率が０．１〜１．５％である。
【０００７】
また、前記一枝蒿の抽出物は、前記洗浄エキスにおける重量含有率が０．５％であることが好ましい。
【０００８】
前記洗浄液はハンドソープであり、前記一枝蒿の抽出物は前記ハンドソープにおける重量含有率が０．０５〜２．２５％である。
【０００９】
さらに、前記一枝蒿の抽出物は、前記ハンドソープにおける重量含有率が０．５％であることが好ましい。
【発明を実施するための形態】
【００１０】
本発明に記載した前記一枝蒿の抽出物は以下の方法により抽出される。
【００１１】
一枝蒿を洗ってから角切りにし、それぞれに一枝蒿の体積の１０倍の水を入れて第一次に煎じ、２時間続けた後、再び水を一枝蒿の体積の８倍まで入れて第二次に煎じ、同様に２時間経てからその粕を捨て、出来上がった液体を６０℃に冷却し、その液体と水の体積比例を１：２５の希釈率で希釈し、出来上がった希釈溶液をマクロ多孔性樹脂で３０分間吸着し、又、７０％エタノールで溶出液を溶出する。エタノールの体積容量は、樹脂の体積の１０倍とし、溶出流速を３ｍｌ／ｍｉｎとし、出来上がった溶出液を６０℃以下で濃縮して回収し、エタノールが１．２０〜１．４０の相対密度に達して一枝蒿の抽出物が出来上がる。
【００１２】
一枝蒿の抽出物を洗浄エキスに応用する場合の製作方法は以下の通りである。
【００１３】
鍋に純水及びドデシルベンゼンスルホン酸ナトリウム（Ｃ１２）を入れ、加熱しながら７３〜７８℃まで撹拌し、そして、水酸化ナトリウム水溶液を入れて均一に撹拌し、水酸化ナトリウムが完全に溶解した後、７３〜７８℃の温度でヤシ油ジエタノールアミンを入れて均一に撹拌し、４０〜４５℃に冷却し、撹拌しながら、チャムソウル抽出液、一枝蒿の抽出物、二重イミダゾリジニルウレア、日用香料、クエン酸を入れ、４０〜４５℃の状況で均一に撹拌し、サンプリングにより検測する。
【００１４】
一枝蒿の抽出物をハンドソープに応用する場合の製作方法は以下の通りである。
【００１５】
鍋に純水とラウレス‐（１‐４）硫酸アンモニウムを入れ、加熱しながら７３〜７８℃まで撹拌し、ココイル‐ベタインを入れ、７３〜７８℃の温度で均一に撹拌し、ココイル‐ベタインが完全に溶解した後、ヤシ油ジエタノールアミンを入れ、７３〜７８℃の温度で均一に撹拌し、４０〜４５℃に冷却し、グリセリン、チャムソウル抽出液、一枝蒿の抽出物、二重イミダゾリジニルウレア、日用香料を入れながら撹拌し、４０〜４５℃に保ち、１時間撹拌してから、クエン酸のＰＨを６〜７に調節し、サンプリングにより検測する。
【００１６】
一枝蒿の抽出物はある植物の抽出物で、インフルエンザウイルス、各細菌を抑制でき、過敏症を抑制する。本発明は一枝蒿の抽出物を洗浄液に応用すると、皮膚を清潔にするだけでなく、ウイルス、細菌及び過敏も抑制され、皮膚を保護、潤す効果がある。
【実施例１】
【００１７】
実施例１は、一枝蒿の抽出物を洗浄エキスに応用したものである。
【００１８】
具体的実施例において、一枝蒿の抽出物及び洗浄エキス中の他の成分の成分比は、表１（１００ｋｇの洗浄エキス中における各成分の重量）に示した通りである。
【００１９】
【表１】
0005911501.tif 000002
【００２０】
好適な分配比は、表２（１００ｋｇの洗浄エキス中における各成分の重量）に示した通りである。
【００２１】
【表２】
0005911501.tif 000003
【実施例２】
【００２２】
実施例２は、ハンドソープに応用したものである。
【００２３】
具体的実施例において、一枝蒿の抽出物及びハンドソープ中の他の成分の成分比は、表３（１００ｋｇのハンドソープ中における各成分の重量）に示した通りである。
【００２４】
【表３】
0005911501.tif 000004
【００２５】
好適な分配比は、表４（１００ｋｇの洗浄エキス中における各成分の重量）に示した通りである。
【００２６】
【表４】
0005911501.tif 000005
(57)【特許請求の範囲】
【請求項１】
箸先が他端より細くなっているサプリ食器箸において、箸先部分を鉄製の箸先キャップとし、前記箸先キャップは長手方向の垂直な方向に多数の貫通穴を有し、概貫通穴は二つの連続した球状であることを特徴とする、サプリ食器箸。
【請求項２】
箸先が他端より細くなっているサプリ食器箸において、箸先部分を鉄製の箸先キャップとし、前記箸先キャップは長手方向に多数の球を連続した形状であることを特徴とする、サプリ食器箸。
【請求項３】
箸先が他端より細くなっているサプリ食器箸において、箸先部分を亜鉛製の箸先キャップとし、前記箸先キャップは長手方向の垂直な方向に多数の貫通穴を有し、概貫通穴は二つの連続した球状であることを特徴とする、サプリ食器箸。
【請求項４】
箸先が他端より細くなっているサプリ食器箸において、箸先部分を亜鉛製の箸先キャップとし、前記箸先キャップは長手方向に多数の球を連続した形状であることを特徴とする、サプリ食器箸。
【発明の詳細な説明】
【技術分野】
【０００１】
飲食用具として箸があり丸型、多角形型がある。その形状は柄部分と箸先部分に分けられ、本発明は、その箸先部分に金属を取り付け、その金属の成分を体内に摂取することができる飲食用具に関するものである。
【背景技術】
【０００２】
従来の箸には箸先に、シリコンゴムで被覆したものがある、又箸先に様々な滑り止め加工を施したものがある、又箸先部分に切り欠き部を設けたものがある、又箸先部分に凹凸部を形成したものがある。
【先行技術文献】
【特許文献】
【０００３】
【特許文献１】特開2008-80075号
【特許文献２】特開2006-158811
【特許文献３】実登3170567号
【特許文献４】実登3156376号
【発明の概要】
【発明が解決しようとする課題】
【０００４】
現在、体内必要成分を補給するサプリメントが多数販売されている。毎月の使用金額は相当なものがある。鉄分不足による貧血、亜鉛分不足による皮膚病、床ずれ等。成分の不足によって起こる症状を毎日使う飲食用具の使用によりその必要成分を体内に取り込める飲食用具箸の提供を目的とする。
【課題を解決するための手段】
【０００５】
食事時には飲食用具代表の箸を使用する。又、体内には、鉄、亜鉛分等を必要とする。これら成分を補給するために、箸において金属製箸先部分を取り付ける為に、柄の心材を削り差込部分を作成、または箸先部分に差し込み穴部分を成形し接着剤塗布後、鉄や亜鉛製の箸先キャップを取り付け、目釘用穴にカシメ釘を通しカシメ固定する。飲食時には箸に取り付けられた箸先キャップより溶出した鉄分、亜鉛分等を摂取することが出来る。溶出量は微量であり箸先キャップに球状加工を施し,表面積を広くする、このことにより摂取量を増加することが出来る。
【発明の効果】
【０００６】
上述のように、体には必要成分を補給しなければならない、例として血液に必要な鉄分。皮膚病、床ずれを予防する亜鉛分等がある。本発明の食事時に使う箸の箸先に鉄、亜鉛等の金属キャップを取り付けることにより、食事中に金属成分が溶け出しその成分を摂取することで貧血や皮膚病を予防する。又この先端部分の加工は同一材種にメッキ処理仕様としてもよい。これらの飲食用具を使用することにより、先端部分を球状加工したことにより溶け出した金属成分の摂取量が増加し、サプリメントを使用しなくても体内にその成分は取り込まれ、健康維持をすることが出来る。
【図面の簡単な説明】
【０００７】
【図１】箸の柄平面図
【図２】箸先キャップ貫通タイプ全体図
【図３】箸先キャップ球状タイプ全体図
【図４】箸先キャップ球状タイプ拡大図
【図５】箸先キャップ貫通タイプ拡大図
【図６】貫通部分断面図
【発明を実施するための形態】
【０００８】
サプリ食器箸の形状を図２、図３に示し、箸の箸先部分に差し込み部分と表面が面一となる鉄、亜鉛等の金属製キャップを差し込み穴に納め接着剤とカシメ釘を使用し固定し完成する。又、箸先部分の表面積を増加するために球状加工を施す。
【実施例】
【０００９】
図２は本発明の箸先キャップ貫通タイプ全体図
図３は本発明の箸先キャップ球状タイプ全体図
【符号の説明】
【００１０】
１  柄
２  差込部分
３  貫通箸先部分
４  球状箸先部分
５  拡大球状箸先部分
６  拡大貫通箸先部分
７  貫通部分
８  球状部分
９  差込穴
１０  目釘用穴
【要約】      （修正有）【課題】現在、体内必要成分を補給するサプリメントは多種多様で販売されている。高齢化社会において益々増加している昨今である。鉄分、亜鉛分不足により様々な症状が起こる。鉄分、亜鉛分の摂取を毎日使える飲食用具箸の使用により必要成分を体内に取り込める飲食用具箸の提供する。【解決手段】体内には、鉄、亜鉛分等を必要とする。これら成分を補給するために、食事時使用する箸を加工し必要成分を摂取する。箸においては金属製キャップの表面積を増加するために球状加工を施し、取り付ける為に箸先を削り、接着剤塗布後、箸先に鉄や亜鉛製の箸先キャップを取り付け、目釘用穴にカシメ釘を通しカシメ固定する。飲食時には箸に取り付けられた箸先キャップより溶出した鉄分、亜鉛分等を摂取することが出来る。又、先端部分は同一材種箸にメッキ加工処理としてもよい。【選択図】図２【図１】
0005885095.tif 000002
【図２】
0005885095.tif 000003
【図３】
0005885095.tif 000004
【図４】
0005885095.tif 000005
【図５】
0005885095.tif 000006
【図６】
0005885095.tif 000007
(57)【特許請求の範囲】
【請求項１】
熱源を最上部に設け温度の低い煙のみを本体下部より本体内部に誘導しかつ本体内部を数段にしきり最下部には短板を設置することにより本体内部で煙を対流させることで、液体の蒸発、酸化、変質、異臭付与を起こさず嗜好性の高い煙で燻すことができることを特徴とした燻製機
【発明の詳細な説明】
【技術分野】
【０００１】  本発明は、液体の燻製が可能な燻製機に関するものである。
【背景技術】
【０００２】  燻製機は、網やフィルム、鉤等を利用し食品を機内につるすことで煙と食品を接触させ嗜好性の高い芳香・調味付与することができ幅広く様々な食品に利用することができる。【０００３】  しかし、液体を煙で燻す場合、燻製機内に吊り下げることができないため棚に液体を満たし煙を十分に燻製機内に充満させ液体の上面と煙を接触させる必要がある。小型の燻製機の場合、熱源（煙の発生装置）が従来のように下方に設置されていると液体の温度が上昇し、液体の蒸発もしくは、成分が変質してしまうという欠点があった。【０００４】  液体を煙で燻す用途において、この欠点は大きな障害である。具体的には、熱が液体に加わることで、液体が過剰に蒸発したり、酸化が促され液体本来の風味を損ねたり、成分の変質、また棚底が焦げつき焦げ臭が付いてしまう問題がある。【０００５】  この改善策として、大型の燻製機を使った冷燻という手法がある。この方法だと燻製機と熱源（煙の発生装置）との距離を長くとることで熱を下げることができる。しかし煙通道の長くする必要があるため過剰なタールの付着による異臭の付与や嗜好性の高い煙の成分が低下することから燻す時間が長時間必要であった。
【先行技術文献】
【特許文献】
【０００６】
【特許文献１】特開２００５−４６０４３号公報
【特許文献２】特開２００５−１３１８３号公報
【非特許文献】
【０００７】
【非特許文献】太田  潤著  「燻製大辞典」  成実堂出版
【発明の概要】
【発明が解決しようとする課題】
【０００８】  解決しようとする問題点は、熱源からの加熱による液体の蒸発、成分の酸化・変質
液体への異臭付与の点である。
【課題を解決するための手段】
【０００９】  本発明は、熱源（煙の発生装置）を最上部に設置することで熱を上部に逃し、煙通道から（仕切り）最下段へ冷えた煙を誘導する。また内部を数段に仕切り煙の対流を活発にさせることを最も主要な特徴とする。
【発明の効果】
【００１０】  本発明の小型液体燻製機は、熱源を上部に設置し煙を下部に送り込むことで液体に熱を加えることなく燻すことができる。また煙を対流させることで液体上面を煙で燻すことができる。
【図面の簡単な説明】
【００１１】
【図１】図１は小型液体燻製機の全体構成図を示した説明図である。
【発明を実施するための形態】
【００１２】  この発明の一実施形態を、図１に示す。、本体▲９▼はステンレス製であり、この本体▲９▼には開閉扉▲４▼が設けられている。
【００１３】  本体▲９▼の内部には、液体を投入するための棚▲１▼が７段設置されておりこの棚▲１▼は、開閉扉▲４▼より出し入れが可能である。
【００１４】  熱源棚▲７▼にスモーク用チップもしくは木片を入れ点火し、嗜好性の高い煙を発生させる。
【００１５】  熱源棚▲７▼より発生した煙は、煙通道▲２▼より本体▲９▼の下部に誘導される。
【００１６】  短板▲６▼を最下段に設置することで嗜好性の高い煙を煙通道▲２▼側だけでなく全体に誘導する。
【００１７】  最上部まで昇った煙は、排出口▲３▼より排出される。
【００１８】  熱源棚▲７▼の底面が熱くなることがあるので断熱材▲８▼を熱源棚▲７▼下部に設置した。
【００１９】  煙の流れを確認できるよう点検口▲５▼を本体▲９▼の後方下部に設置した。
【図１】
0005885076.tif 000002
(57)【特許請求の範囲】
【請求項１】
円柱状端子に導線を半田付けするのに適した半田ごてであって、
こて先と、該こて先を加熱する加熱部と、手で握る把持部と、電源に加熱部を接続するコードとから構成され、
該こて先には、円柱状端子を取り巻くように円弧状の溝が形成されており、
該円弧状の溝は、該こて先の伸びる方向に沿って該円柱状端子と接触する面を有することを特徴する半田ごて。
【発明の詳細な説明】
【技術分野】
【０００１】
本発明は、コネクタピン等の円柱状端子に導線を半田付けするのに適した半田ごてに関する。
【背景技術】
【０００２】
例えば、電子機器を組み立てる場合、半田ごてを用いて基板に各種電子部品や配線を半田付けすることが多い。このような半田ごてでは、ニクロム線ヒーター又はセラミックスヒーター等でこて先（先端チップ）を加熱し、こて先を基板のランドやワークに接触させて半田を溶融させ、こて先を離して半田を凝固させることにより半田付けを行っている。
【０００３】
また、コネクタピン等の円柱状端子と導線とを半田で接続するには、一般的に半田ごてが用いられる（例えば、特許第３５４１３０７号公報参照）。半田ごてのこて先は、平形状、先鋭形状、傾斜形状等の各種形状に形成されており、用途に応じて選択される。直径が２ｍｍ程度の円柱状の端子に導線を半田付けするには、一般的に先鋭形状のこて先が選択される。
【先行技術文献】
【特許文献】
【０００４】
【特許文献１】特許第３５４１３０７号公報
【発明の概要】
【発明が解決しようとする課題】
【０００５】
しかし、先鋭形状のこて先を使用してコネクタピン等の円柱状端子に導線を半田付けする場合、円柱状端子に熱が十分伝達されず導線の半田付けが困難であるという問題がある。
【０００６】
本発明はこのような点に鑑みてなされたものであり、その目的とするところは、円柱状端子に導線を半田付けするのに適した半田ごてを提供することである。
【課題を解決するための手段】
【０００７】
本発明によると、円柱状端子に導線を半田付けするのに適した半田ごてであって、こて先と、該こて先を加熱する加熱部と、手で握る把持部と、電源に加熱部を接続するコードとから構成され、該こて先には、円柱状端子を取り巻くように円弧状の溝が形成されており、該円弧状の溝は、該こて先の伸びる方向に沿って該円柱状端子と接触する面を有することを特徴する半田ごてが提供される。
【発明の効果】
【０００８】
本発明にかかる半田ごてのこて先には、円柱を取り巻くように円弧状の溝が形成されているので、こて先を介して円柱状端子に十分な熱を伝達することが可能となり、円柱状端子に導線を容易に半田付けすることができる。
【図面の簡単な説明】
【０００９】
【図１】本発明実施形態に係る半田ごての斜視図である。
【図２】図１のＡ−Ａ線断面図である。
【図３】円柱状のコネクタピンに導線を半田付けする様子を示す斜視図である。
【発明を実施するための形態】
【００１０】
以下、本発明の実施形態を図面を参照して詳細に説明する。図１を参照すると、本発明実施形態に係る半田ごて１０の斜視図が示されている。半田ごて１０は、半田ごて１０を手で握る把持部１２と、連結部１４を介して把持部１２に連結された加熱部１６を含んでいる。
【００１１】
加熱部１６中には円筒状のセラミックスヒーターが挿入されており、加熱部１６はこて先（先端チップ）１８に連結されている。こて先１８は例えば無酸素銅から形成されている。加熱部１６に収容されたセラミックスヒーターは、コード２２を介して電源に選択的に接続される。本実施形態の半田ごて１０は、図２に示す如くこて先１８の先端に円柱を取り巻くように円弧状の溝２０が形成されていることを特徴とする。
【００１２】
次に、図３を参照して、本実施形態の半田ごて１０を使用した半田付け作業について説明する。２４はコネクタであり、複数の円柱状のコネクタピン２６を有している。各コネクタピン２６の先端には接続すべき導線が挿入される穴２８が形成されている。  コネクタピン２６の直径は約２ｍｍである。
【００１３】
コネクタピン２６に導線を半田付けするには、コネクタピン２６の穴２８中に導線を挿入し、半田ごて１０のこて先１８を矢印Ａ方向に移動して円弧状の溝２０中に円柱状のコネクタピン２６を収容して熱伝導によりコネクタピン２６を加熱する。
【００１４】
この状態で、図示しない半田をコネクタピン２６と導線の接続部に近づけて半田を溶融し、半田が十分溶融した時点でこて先１８を引き離して、半田を凝固させることにより半田付けが完了する。
【００１５】
上述した実施形態の半田ごて１０のこて先１８の先端には、コネクタピン２６等の円柱状端子を取り巻くように円弧状の溝２０が形成されているため、円柱状端子を円弧状の溝２０中に収容してその接触面積を大きくすることにより、熱伝導により十分な熱を円柱状端子に伝達させることが可能となり、円柱状端子に導線を容易に半田付けすることができる。
【符号の説明】
【００１６】
１０    半田ごて
１２    把持部
１６    加熱部
１８    こて先
２０    円弧状の溝
２４    コネクタ
２６    コネクタピン
２８    穴
【図１】
0005885475.tif 000002
【図２】
0005885475.tif 000003
【図３】
0005885475.tif 000004
(57)【特許請求の範囲】
【請求項１】
自動車の左右のフロントドアのバックミラーが設置された場所に形成されているバックミラーの大きさと同じ大きさであり、車外から車内に貫通されている切り抜き部分に、バックミラーを収納することを特徴とした収納式バックミラー。
【発明の詳細な説明】
【技術分野】
【０００１】本発明はドアの一部をバックミラーの大きさの分だけ切り抜いて、その部分にミラーを収納出来る様にしたもの。
【背景技術】
【０００２】従来はドア部分にベース（ステ）を取り付け、このベースを台にしてバックミラーが取り付けられ使用時は開き、停車時は折りたたむだけと成っていて、ベースは車体から出たまあと成っている。
【発明が解決しようとする課題】
【０００３】バックミラーを折りたたんだ時、ベースは外部に完全に露出して入る為、見た感じの良くない物となっている。
【０００４】ベースを台にして取り付けられた、ミラーは折りたたみ、使用時は開くだけとなっている。
【課題を解決するための手段】
【０００５】本発明はベースや、上昇下降させる機構が、外部から収納時は見えないようにスマートにしている。
【０００６】図１で示すようにドアの厚さが薄いものに付いてはミラーがドア外部より少し出るものもある。
【発明の効果】
【０００７】ミラーが収納時、従来のものは、悪戯されやすいが、本発明は、切り抜いた部分に入っているので、指も入らず悪戯もされにくく、又、車全体の見た目も良くなる。
【図面の簡単な説明】
【０００８】
【図１】フロントドア右側の斜面図でドアの厚さが薄い場合のもので収納時に僅かにミラーが出ている図である。
【図２】図１と同じドアでミラーが開いている時の図。
【図３】内張りを切らずに上昇下降させる機構を取り付けた機種の斜面図。
【符号の説明】
【０００９】１  収納時のバックミラー（図は薄い場合で厚い場合はドア面と平らとなる）
２  フロントドア
３  開いた時のバックミラー
４  内張りを切り抜いた機種
５  上昇下降する機構
６  上昇下降する機種に付き内張りを切らない機種
【要約】
【課題】  収納時ドア外面とウインドガラス外面との間の僅かな隙間であるが、ベースも外に出さないでスッキリ性が高くデザイン全体の向上となる。
【解決手段】  切り抜いたドア部分に収納するが厚いドアの場合はドア面とミラーが
平らにする事が出来、又、薄いドアの場合は多少外部にミラーのみ出る場合もある。
【選択図】図１【図１】
0006004406.tif 000002
【図２】
0006004406.tif 000003
【図３】
0006004406.tif 000004
(57)【特許請求の範囲】
【請求項１】
ゴルフカートのポールに直接取り付け可能で、且つ、前記ポールから着脱自在に構成した取り付け部分を備えたことを特徴とするゴルフ用スコアカードホルダー。
【請求項２】
前記取り付け部分を，面ファスナーとしたことを特徴とする請求項１に記載したゴルフ用スコアカードホルダー。
【請求項３】
ティ入れバックも兼ねていることを特徴とした請求項１、又は、請求項２に記載したゴルフ用スコアカードホルダー。
【発明の詳細な説明】
【技術分野】
【０００１】  本発明はスコアカードをズボンの後ろポケットではなく、直接カートのポールに、面ファスナー、又はボタンで取り付けて出し入れがスマートにできるカードホルダーに関するものである。
【背景技術】
【０００２】  従来、スコアカードはスボンの後ろポケットに入れて使用しているが、女性ゴルファーも増えてきた今ファッションを考え、カードをカートのあちこちに置いている人が多く荷物カゴがあるようにカード入れもカートに取り付けた方が使いやすいと考えた。
【発明の概要】
【発明が解決しようとする課題】
【０００３】  これは次のような問題点があった。スコアカードをカートのあちこちに置いたり、シートにはさんだりして、すぐ見つからず探している人を多く見てきた。本発明は以上の事を解決するためのものである。
【課題を解決するための手段】
【０００４】  本発明はゴルフカートのポールに直接取り付け、すっきり収められ、ティ入れバックとしても利用できるものである。
【発明の効果】
【０００５】  上述のように本発明のスコアカードカードを後ろポケットに入れずに、置いたところを忘れて探すことなくスムーズにマイカード入れが使用できる。またティー入れバックも兼ねる事もできる。
【発明を実施するための最良の形態】
【０００６】  以下、本発明の実施例について説明する。
カードホルダーに面ファスナー、又はボタンを取り付け、カートのポールにしっかりと取り付ける。カートに置いたままでプレー後カートにすわって探す事なくすぐ取り出して記入がスムーズにできる。ティ入れバックとしても使えるので管理しやすい。
材質はコーティング済みの布製、レザー製、ビニール製など雨に強いものにする。
【実施例】
【０００７】  以下、添付図面に従って、実施例を説明する。
図１は使用例、図２は個人用、図３は２，４人用の図である。
【図面の簡単な説明】
【０００８】
【図１】      本発明の使用時の図である。
【図２】      本発明の本体で個人用の表面と後ろ面からみたものである。
【図３】      本発明の２人用、４人用の使用時の図である。
【符号の説明】１        取り付け面ファスナー、または、ボタン部分。
２        ティ入れバックの入り口ファスナー部分。
３        鉛筆差し
４        ティ差し
【図１】
0006004380.tif 000002
【図２】
0006004380.tif 000003
【図３】
0006004380.tif 000004
(57)【特許請求の範囲】
【請求項１】
脱穀後のもみ殻を、電気炉で、１８０〜１９０℃の炉内雰囲気温度で、３０時間燃焼させることにより、高純度の非結晶のシリカ（ＳｉＯ２）を含有した燃焼灰を製造し、この燃焼灰からシリカを得る工程を含む、医薬・健康製品の製造方法。
【発明の詳細な説明】
【技術分野】
【０００１】
本発明は、もみ殻を燃焼することでもみ殻に元来含有されていた珪素分を抽出・残存させ、その珪素分を塗布・搾取等を目的とした医薬・健康製品の製造方法（珪素製品の製造方法）と、この製造方法における燃焼方法に関するものである。
【背景技術】
【０００２】
稲が順調に生育するためには、ケイ素（Ｓｉ）が必要であり、もみ殻には、重量で約２０％のシリカ（ＳｉＯ２）が含有されている。もみ殻を燃焼させると、８０％程度を占める炭化水素が気化し、シリカを高純度に含有した燃焼灰が残存する。この含有されているシリカは稲由来であるので、安全・安心な原料である。これまでには、この燃焼灰の肥料へ利用や工業製品への転換の特許申請はあったが、医薬・健康製品の製造に利用されるものはなかった。
【先行技術文献】
【特許文献】
【０００３】
【特許文献１】特開２００８−２４５６１７号公報
【発明の概要】
【発明が解決しようとする課題】
【０００４】
上記した特開２００８−２４５６１７号公報に記載される発明は、燃焼灰の肥料へ利用や工業製品への転換であり、本発明が意図する、例えば、我々日本人が主食として食する米のもみ殻を原料とし、かつ最も必要とする、安全・安心なイメージの確立と、しかも、珪素獲得原料として安価な創造方法を提供することとは、全く次元が異なる。
【０００５】
尚、従来の珪素の抽出方法は、コストが高く、鉱物由来の原料であるので、その製品の品質は保証されているものの、一般的にイメージとしてはネガティブな側面も否めなかった。
【課題を解決するための手段】
【０００６】
上記に鑑み、本発明は、塗布・摂取等を目的とした珪素を用いた医薬・健康製品の製造としては、これまで鉱物から抽出した珪素が用いられてきたが、農業分野では厄介者としてその取扱いに苦慮しているもみ殻を用いることで原料の獲得のしやすさと、珪素抽出コストの削減が実現できる。
【０００７】
電気炉を用い、燃焼させることで、品質の優れたシリカ（ＳｉＯ２）が、これまでのコストに比べて低いコストで製造することができる。
【０００８】
燃焼前に、前工程にてもみ殻の洗浄を行うことで、さらにシリカ（ＳｉＯ２）の物性の向上を図ることができる。
【発明の効果】
【０００９】
本発明により、元来人間の食物とされている植物の未利用部位を利用し、人間の健康に関する製品を生産することになり、主食の炭水化物を主とする米だけでなく、人間にとって非常に重要且つ根本的な元素である珪素を供給することが可能になり、鉱物資源に頼らなくてもよくなる。また、この原料であるもみ殻は、日常生活で非常に身近な物質であり、我々日本人の馴染み深いものであるために、一般的に受け入れやすい。さらに、もみ殻は、各所でその処理に問題の種であり、この厄介者の利用先が確立されれば、もみ殻の処分・利用問題と、持続可能な資源の回収が可能になり、もみ殻を排出する側にとっても、珪素を獲得したい側にとってもＷｉｎ−Ｗｉｎのシステムを構築できることになる。
【図面の簡単な説明】
【００１０】
【図１】本実施によるもみ殻を燃焼させ、塗布・搾取等を目的とした珪素を用いた医薬・健康製品の製造工程を示すフローチャート図である。
【図２】もみ殻燃焼灰を蛍光Ｘ線解析したものを示す表である。
【発明を実施するための形態】
【００１１】
本実施によるもみ殻から、塗布・搾取等を目的とした珪素を用いた医薬・健康製品の製造について、以下に説明する。
本実施により得られた燃焼灰は、そのまま利用することも、他の物質と混ぜて利用することもできる。
【００１２】
本実施によるもみ殻から、電気炉で生成した燃焼灰を製造し、この燃焼灰からシリカを抽出し、このシリカを塗布・摂取で取得できる医薬・健康製品の製造については、脱穀後のもみ殻を電気炉で、例えば、１８０〜１９０℃の炉内雰囲気温度で、３０時間燃焼させる。
【００１３】
もみ殻は、有機質を７０〜９０％、無機質を１０％〜３０％から構成されている。このようなもみ殻を燃焼することにより、有機質は消滅するが、無機質（燃焼灰）は残る。この燃焼灰中には、非結晶性シリカ（ＳｉＯ２）を多量に含むことが特徴である。
【００１４】
次に、本実施による塗布・搾取等を目的とした珪素を用いた医薬・健康製品の製造について、図１に基づいて、以下、生産の手順を説明する。
【００１５】
脱穀後、乾燥されたもみ殻（ペレット等に成形された方がなお良し）を、電気炉内で燃焼させる。燃焼前に洗浄しても良いが、洗浄するとコストがかかるためにオプションとしても構わない。燃焼は、規定の温度・時間で行い、未燃で残った物質が、高機能の自然由来の非結晶シリカ（ＳｉＯ２）である。これを、そのまま利用するか、他の物質を混合して利用する。
【００１６】
次に、本実施の燃焼灰からシリカを抽出し、このシリカを塗布・摂取等を目的とした珪素を用いた医薬・健康製品の製造について、図２に基づいてそれぞれの成分を説明する。
図２の左端は、もみ殻の成分分析を示す。蛍光Ｘ線ではＨ（水素）は測定できないため、Ｈの分析値はない。この図２からＳｉが１８％程度重量化で含有されているのがわかる。８０％は炭化水素であり、残りの２％程度が金属類である。そのもみ殻を燃焼させることにより、未燃炭素が残存し黒くなった燃焼灰と、未燃炭素がなく白色を呈する燃焼灰とがそれぞれ生産されることになる。
【００１７】
未燃炭素が１３％であることを想定した場合のそれぞれの酸化物の重量比％と未燃炭素がなく炭素が完全燃焼した場合の酸化物の重量比％を示している。前者の場合は、ＳｉＯ２が８５％程度であり、後者の場合は９８％である。完全燃焼させることで極めてＳｉＯ２の含有率が高い燃焼灰を生産できることになる。
【図１】
0006004590.tif 000002
【図２】
0006004590.tif 000003
(57)【特許請求の範囲】
【請求項１】
電気掃除機用のパイプを嵌合するに際し、雄パイプの外側に凹形溝道（５）を直線道（６）、回転道（７）、固定道（８）の順に進行方向が３方向に変化する様に設け、
他方、雌パイプ内側に、前記凹形溝道（５）に対応した突起（１３）を設けてワンタッチで脱着が可能な抜け止め構造を有するパイプの継手であって、
テーパー嵌合によるパイプの接読には、雌パイプ（３）の突起（１３）を直線道（６）回転道（７）固定道（８）の順序に挿入するものとし、
前記回転道（７）は途中から登り坂となり、該回転道（７）における凹形溝道（５）の深さの寸法は、前記突起（１３）の高さ寸法より弱干少ない寸法で、凹形溝道（５）の底が浅くなり、前記固定道（８）の凹形溝道（５）の深さは、回転道（７）の登り坂以前の深さ寸法に戻る。
以上の構造を備えた電気掃除機パイプ。
【請求項２】
電気掃除機パイプにおける伸縮パイプにおいて、請求項１の記載の構造で直線道（６）を長くして、回転道（７）、固定道（８）を多数設けた伸縮パイプを備えた電気掃除機パイプ。
【請求項３】
電気掃除機パイプにおける伸縮パイプにおいて、請求項１の記載の構造で伸縮雄パイプ（９）端面に切片（１４）を一体成形で設けた伸縮パイプを備えた電気掃除機パイプ。
【発明の詳細な説明】
【技術分野】
【０００１】  この発明は、電気掃除機のテーパー嵌合によるパイプ継手の抜け防止と、電気掃除機の伸縮パイプにも応用できる構造に関するものである。
【背景技術】
【０００２】  電気掃除機において付帯部品を使わずにワンタッチで脱着可能なパイプ継手は、雄パイプ（１）のテーパー（２）と、雌パイプ（３）テーパー（４）をそれぞれ差込、テーパー接触面の密着力による継手構造である。【０００３】  伸縮パイプの長さ調整には、おねじ（１１）とリングナット（１２）で締付固定する構造のものや，又は多くの部品をパイプに付帯させて固定する構造が多い。
【発明の概要】
【発明が解決しようとするための課題】
【０００４】  電気掃除機を使用中に、振動や抜け方向の引張り荷重がかかると雄パイプ（１）と雌パイプ（３）の継手は、テーパー嵌合による密着力が弱まり脱落するため、其の都度手で押し込んで作業を続けなければならない煩わしい課題がある。
【０００５】  伸縮パイプを作業者の身長に合わせるために、リングナット（１１）おねじ（１２）とでする伸縮調整や、作業終了後に掃除機をコンパクトにして収納するため、伸縮パイプの全長を最短にするので、ねじの緩めと締付を繰り返す煩わしさがある。更に部品数が多くなり製造原価が増加する。
【課題を解決するための手段】
【０００６】  テーパー嵌合によるパイプ継手と伸縮パイプにおいて、雄パイプの外側に凹形溝道（５）を、直線道（６）、回転道（７）、固定道（８）と進行方向が３方向に変化する様に設けた。雌パイプ内側に、凹形溝道（５）に対応した突起（１３）を設けた。
【０００７】  伸縮雄パイプ（９）端面に切片（１４）を設けた。
【発明の効果】
【０００８】  テーパー嵌合継手の接続については、雄パイプの固定道（８）で雌パイプの突起（１３）はロックされパイプ継手の脱落は完全に防ぐことができる。
【０００９】  伸縮パイプ長さ調整は、作業者の身長に適したパイプ長さと、掃除機を収納するための伸縮パイプの最短位置決めがワンタッチで簡単にできて脱落も無い。ねじの緩め締付の煩わしさから解放される。部品数は皆無のため製造原価を大きく低減させる効果がある。
【図面の簡単な説明】
【００１０】
【図１】テーパー継手部の斜視図である。
【図２】突起（１３）の断面図である
【図３】凹形溝道（５）の断面図である。
【図４】。テーパー継手部が嵌合してロックされた状態の斜視図である。
【図５】断面図である。
【図６】伸縮パイプの斜視図である。
【図７】伸縮パイプの斜視図である。
【図８】伸縮パイプの斜視図である。
【図９】断面図である。
【図１０】断面図である。
【発明を実施するための形態】
【００１１】  テーパー嵌合によるパイプの接読には、雌パイプ（３）の突起（１３）を直線道（６）回転道（７）固定道（８）の順序に挿入する。回転道（７）は途中から登り坂となり凹形溝道（５）の深さの寸法は、突起（１３）の高さ寸法より弱干少ない寸法「凹形溝道（５）の底が浅くなる」になる。固定道（８）の凹形溝道（５）の深さは、回転道（７）の登り坂以前の深さ寸法に戻る。
直線道（６）から回転道（７）の分岐位置は、雄パイプ（１）テーパー（２）と雌パイプ（３）テーパー（４）との面嵌合が完全に密着した時の雌パイプ（３）の突起（１３）の位置とする。凹形溝道（５）の形状は角形及び半球形の何れでもよい。
取り外しは突起（１３）を逆方向に進める。
【００１２】  伸縮パイプ雄パイプ（９）外側に直線道（６）を長く設ける。作業者の身長に合わせるために必要な回転道（７）と固定道（８）を必要の数だけ設ける。
更に長い直線道（６）の先端にも回転道（７）と固定道（８）を設ける。
伸縮雌パイプ（１０）内側に、雌パイプ（３）と同形状の突起（１３）を設ける。
接読と取り外しはテーパー嵌合と同じである。
【００１３】  伸縮パイプの実用には図７の構造で充分使えるが、より高性能な吸込み効率を要求される場合には、雄パイプ（９）端面に一体成形で切片（１４）を設けてシール性能を向上させる事もできる。
【００１４】  抜け止め構造は図１と図７には１系列で表示してあるが複数の系列にする事も可能である。
【符号の説明】
【００１５】１雄パイプ
２テーパー
３雌パイプ
４テーパー
５凹形溝道
６直線道
７回転道
８固定道
９伸縮雄パイプ
１０伸縮雌パイプ
１１おねじ
１２リングナット
１３突起
１４切片
【図１】
0006004277.tif 000002
【図２】
0006004277.tif 000003
【図３】
0006004277.tif 000004
【図４】
0006004277.tif 000005
【図５】
0006004277.tif 000006
【図６】
0006004277.tif 000007
【図７】
0006004277.tif 000008
【図８】
0006004277.tif 000009
【図９】
0006004277.tif 000010
【図１０】
0006004277.tif 000011